(57)【要約】【課題】厚みを薄く、操作における入力と表示色の切り替えを連動させ、光を良好に拡散させることが可能な操作パネルおよび電子機器を提供する。【解決手段】光源２０と、第１の波長領域の光を透過させつつ第２の波長領域の光をカットする第１表示部４１、および第２の波長領域の光を透過させつつ第１の波長領域の光をカットする第２表示部４２とを有する透明部材４０と、透明部材４０の他方の面側から入力される圧力によって検出信号を出力する入力検出手段６０と、入力検出手段６０からの検出信号に基づいて、光源２０を制御する制御手段７０と、を具備し、制御手段７０は、第１の波長領域の光および第２の波長領域の光のうち既に点灯している一方側の光の出射を停止して、その一方側の光とは異なる他方側の光を出射させるように光源を制御して、電子機器において次に検出信号が検知された場合に実行される異なる機能に関しての表示を行う。【選択図】図１
2012198768.tif 000002
【特許請求の範囲】
【請求項１】
少なくとも第１の波長領域の光および第２の波長領域の光を出射可能な光源と、
前記第１の波長領域の光を透過させつつ前記第２の波長領域の光をカットする着色がなされている第１表示部、および前記第２の波長領域の光を透過させつつ前記第１の波長領域の光をカットする着色がなされている第２表示部とを有する透明部材と、
前記透明部材の一方の面側に配置されると共に、前記透明部材の他方の面側からの入力を検出する入力検出手段と、
前記入力検出手段からの検出信号に基づいて、前記光源を制御する制御手段と、
を具備し、
前記制御手段は、前記第１の波長領域の光および前記第２の波長領域の光のうち既に点灯している一方側の光の出射を停止して、その一方側の光とは異なる他方側の光を出射させるように前記光源を制御して、操作パネルが組み込まれる電子機器において次に前記検出信号が検知された場合に実行される異なる機能に関しての表示を行う、
ことを特徴とする操作パネル。
【請求項２】
請求項１記載の操作パネルであって、
前記透明部材には、前記第１表示部と前記第２表示部とが重なる重なり部分が設けられていて、この重なり部分は前記第１の波長領域の光および前記第２の波長領域の光の双方を透過させることが可能である、
ことを特徴とする操作パネル。
【請求項３】
請求項１または２記載の操作パネルであって、
前記光源には、前記第１の波長領域の光を出射する第１光源と、前記第２の波長領域の光を出射する第２光源と、が設けられていて、
前記透明部材と前記第１光源および前記第２光源の間には、前記第１光源と前記第２光源からそれぞれ出射される光を前記透明部材に向かって導く導光部材が設けられていて、
前記導光部材のうち前記透明部材と対向する対向面とは反対側の裏面には、光を前記透明部材側に向けて反射させる複数の反射溝が設けられている、
ことを特徴とする操作パネル。
【請求項４】
請求項３記載の操作パネルであって、
前記第１光源は、前記導光部材のうち前記対向面および前記裏面とは対向しない一方の端面側に配置されていて、
前記第２光源は、前記導光部材のうち前記一方の端面とは対向する他方の端面側に配置されていて、
前記反射溝によって、前記透明部材には、前記第１光源と対峙して前記第１光源から出射される第１の波長領域の光を前記透明部材に向けて反射させる第１反射面と、前記第２光源と対峙して前記第２光源から出射される第２の波長領域の光を前記透明部材に向けて反射させる第２反射面と、が設けられていて、
複数の前記第１反射面のうち、前記第２光源側に位置する前記第１反射面の方が前記第１光源に位置する前記第１反射面よりも、前記裏面と直交する直交方向に近づくように設けられていて、
複数の前記第２反射面のうち、前記第１光源側に位置する前記第２反射面の方が前記第１光源に位置する前記第２反射面よりも、前記裏面と直交する直交方向に近づくように設けられている、
ことを特徴とする操作パネル。
【請求項５】
請求項３または４記載の操作パネルであって、
前記反射溝または前記裏面に対向する別部材には、前記透明部材に向けて光を反射させるための白色塗装部が設けられている、
ことを特徴とする操作パネル。
【請求項６】
請求項１または２記載の操作パネルであって、
前記光源はパネル状の表示装置であり、前記入力検出手段はパネル状の位置入力装置であり、前記表示装置と前記位置入力装置によってタッチパネルが構成される、
ことを特徴とする操作パネル。
【請求項７】
請求項１から６のいずれか１項に記載の操作パネルであって、
前記制御手段は、前記電子機器のいずれかの要素から出力される制御信号に基づいて、前記光源の発光強度を変化させる、
ことを特徴とする操作パネル。
【請求項８】
請求項１から７のいずれか１項に記載の操作パネルを用いたことを特徴とする電子機器。
【発明の詳細な説明】
【技術分野】
【０００１】
本発明は、操作パネルおよびこれを用いた電子機器に関する。
【背景技術】
【０００２】
特許文献１には、操作モードの設定に応じてバックライトの照明色を切り替え、キートップが有する表示板の何れか一方の表示を視認させる技術内容について開示されている。この特許文献１には、透明な表示板に赤色の塗料にて「Ａ」の表示を形成し、さらに別な表示板に緑色の塗料にて「あ」の表示を形成し、それらが重ねられて設けられている。
【先行技術文献】
【特許文献】
【０００３】
【特許文献１】特開２００６−２７７０１３号公報
【発明の概要】
【発明が解決しようとする課題】
【０００４】
ところで、上記の特許文献１に開示されている構成では、「Ａ」の表示が存在する表示板と、「あ」の表示が存在する表示板とが重ねて設けられている。そのため、全体の厚みが増し、薄型化が難しいものとなっている。
【０００５】
また、特許文献１に開示されている構成では、予め所望する色のバックライトを点灯させた後に、その色での表示に基づいて、キーによって所定の入力がなされるものである。そのため、キーの入力と、表示色の切り替えとが連動している、とは言い難い。さらに、特許文献１に開示されている構成では、光を拡散させる光拡散板が設けられているものの、具体的にどのようにして、光を拡散させるのかについては明らかにされていない。
【０００６】
本発明は上述のような課題の少なくとも一つを解決するためになされたもので、厚みを薄くすること可能とすることと、操作における入力と表示色の切り替えを連動させるようにすることと、光を良好に拡散させることのうち少なくとも一つを達成することができる操作パネルおよびこれを用いた電子機器を提供しよう、とするものである。
【課題を解決するための手段】
【０００７】
上記課題を解決するために、本発明の操作パネルは、少なくとも第１の波長領域の光および第２の波長領域の光を出射可能な光源と、第１の波長領域の光を透過させつつ第２の波長領域の光をカットする着色がなされている第１表示部、および第２の波長領域の光を透過させつつ第１の波長領域の光をカットする着色がなされている第２表示部とを有する透明部材と、透明部材の一方の面側に配置されると共に、透明部材の他方の面側からの入力を検出する入力検出手段と、入力検出手段からの検出信号に基づいて、光源を制御する制御手段と、を具備し、制御手段は、制御手段は、第１の波長領域の光および第２の波長領域の光のうち既に点灯している一方側の光の出射を停止して、その一方側の光とは異なる他方側の光を出射させるように光源を制御して、操作パネルが組み込まれる電子機器において次に検出信号が検知された場合に実行される異なる機能に関しての表示を行う、ものである。
【０００８】
このように構成する場合には、第１表示部と第２表示部とが、同じ透明部材に設けられている。このため、第１表示部と第２表示部とが重ならない構成となるため、操作パネルの全体の厚みを薄くすることが可能となる。また、使用者が透明部材の他方の面側を押し込むと、その押し込みにより、入力検出手段は検出信号を制御手段に送信し、制御手段は、第１の波長領域の光および第２の波長領域の光のうち既に点灯している一方側の光の出射を停止して、その一方側の光とは異なる他方側の光を出射させるように光源を制御する。また、この押し込みに対応して、操作パネルが組み込まれる電子機器において実行される異なる機能に関しての表示がなされる。それにより、電子機器が実行する機能と操作パネルでの表示の切り替えとを連動させることが可能となる。また、操作パネルを押し込んだ使用者にとっては、次に操作パネルを押し込んだ場合には、電子機器において異なる機能が実行されることを認識可能となり、使用者の利便性を向上させることが可能となる。
【０００９】
また、本発明の他の側面は、上述の発明において、透明部材には、第１表示部と第２表示部とが重なる重なり部分が設けられていて、この重なり部分は第１の波長領域の光および第２の波長領域の光の双方を透過させることが可能であることが好ましい。
【００１０】
このように構成する場合には、重なり部分では、第１の波長領域の光および第２の波長領域の光を透過可能となっている。このため、第１表示部と第２表示部では、重なり部分によって表示が途切れてしまうのを防止可能となり、双方の表示を使用者は認識可能となる。それによって、限られた透明部材のスペースを有効活用することが可能となり、操作パネルの省スペース化に寄与可能となる。
【００１１】
さらに、本発明の他の側面は、上述の発明において、光源には、第１の波長領域の光を出射する第１光源と、第２の波長領域の光を出射する第２光源と、が設けられていて、透明部材と第１光源および第２光源の間には、第１光源と第２光源からそれぞれ出射される光を透明部材に向かって導く導光部材が設けられていて、導光部材のうち透明部材と対向する対向面とは反対側の裏面には、光を透明部材側に向けて反射させる複数の反射溝が設けられている、ことが好ましい。
【００１２】
このように構成する場合には、導光部材に反射溝が設けられることにより、第１光源と第２光源からそれぞれ出射される光を透明部材に向かって導くことが可能となる。
【００１３】
また、本発明の他の側面は、上述の発明において、第１光源は、導光部材のうち対向面および裏面とは対向しない一方の端面側に配置されていて、第２光源は、導光部材のうち一方の端面とは対向する他方の端面側に配置されていて、反射溝によって、透明部材には、第１光源と対峙して第１光源から出射される第１の波長領域の光を透明部材に向けて反射させる第１反射面と、第２光源と対峙して第２光源から出射される第２の波長領域の光を透明部材に向けて反射させる第２反射面と、が設けられていて、複数の第１反射面のうち、第２光源側に位置する第１反射面の方が第１光源に位置する第１反射面よりも、裏面と直交する直交方向に近づくように設けられていて、複数の第２反射面のうち、第１光源側に位置する第２反射面の方が第１光源に位置する第２反射面よりも、裏面と直交する直交方向に近づくように設けられている、ことが好ましい。
【００１４】
このように構成する場合には、第１反射面では第１光源から出射される第１の波長領域の光が透明部材側に向かって反射され、第２反射面では第２光源から出射される第２の波長領域の光が透明部材側に向かって反射される。ここで、第１反射面は、第２光源側に位置する第１反射面の方が第１光源に位置する第１反射面よりも、裏面と直交する直交方向に近づくように設けられているため、第１反射面では、第１光源から離れても暗くなるのを防止する状態で、第１の波長領域の光を透明部材側に反射させることが可能となる。同じく、第２反射面は、第１光源側に位置する第２反射面の方が第２光源に位置する第２反射面よりも、裏面と直交する直交方向に近づくように設けられているため、第２反射面では、第２光源から離れても暗くなるのを防止する状態で、第２の波長領域の光を透明部材側に反射させることが可能となる。
【００１５】
さらに、本発明の他の側面は、上述の発明において、反射溝または裏面に対向する別部材には、透明部材に向けて光を反射させるための白色塗装部が設けられている、ことが好ましい。
【００１６】
このように構成する場合には、白色塗装部の存在により、透明部材に向けて反射される光の反射率を高めることが可能となる。
【００１７】
また、本発明の他の側面は、上述の発明において、光源はパネル状の表示装置であり、入力検出手段はパネル状の位置入力装置であり、表示装置と位置入力装置によってタッチパネルが構成される、ことが好ましい。
【００１８】
このように構成する場合には、使用者は、表示されたものを押し込む等による、直感的な操作が可能となる。また、操作パネルを用いた電子機器においては、押し込んだ位置に対応した制御を行うことが可能となる。
【００１９】
さらに、本発明の他の側面は、上述の発明において、制御手段は、電子機器のいずれかの要素から出力される制御信号に基づいて、光源の発光強度を変化させる、ことが好ましい。
【００２０】
このように、発光強度を変化させる制御を行う場合、この発光強度の変化により、操作パネルにおける表示は、使用者にとって、より認識し易いものとすることが可能となる。
【００２１】
また、本発明の他の側面である電子機器は、上述の各発明に係る操作パネルを用いた、ことが好ましい。
【００２２】
このように構成する場合には、電子機器の操作パネルにおいては、第１表示部と第２表示部とが、同じ透明部材に設けられている。このため、第１表示部と第２表示部とが重ならない構成となるため、操作パネルの全体の厚みを薄くすることが可能となる。また、使用者が透明部材の他方の面側を押し込むと、その押し込みにより、入力検出手段は検出信号を制御手段に送信し、制御手段は、第１の波長領域の光および第２の波長領域の光のうち既に点灯している一方側の光の出射を停止して、その一方側の光とは異なる他方側の光を出射させるように光源を制御する。また、この押し込みに対応して、操作パネルが組み込まれる電子機器において実行される異なる機能に関しての表示がなされる。それにより、電子機器が実行する機能と操作パネルでの表示の切り替えとを連動させることが可能となる。また、操作パネルを押し込んだ使用者にとっては、次に操作パネルを押し込んだ場合には、電子機器において異なる機能が実行されることを認識可能となり、使用者の利便性を向上させることが可能となる。
【図面の簡単な説明】
【００２３】
【図１】本発明の一実施の形態に係る操作パネルの構成を示す側断面図である。
【図２】図１の操作パネルにおいて導光板および光源の構成を示す平面図である。
【図３】第１表示部が表示されると共に第２表示部を示す図である。
【図４】第２表示部が表示されると共に第１表示部を示す図である。
【図５】反射溝の第１反射面および第２反射面を拡大して示す側断面図である。
【図６】導光板に凹部が設けられた変形例の構成を示す側断面図である。
【図７】導光板に窪み部が変形例の構成を示す平面図である。
【図８】導光板の四隅が切り欠かれた変形例の構成を示す平面図である。
【図９】反射溝の曲率が変化する導光板の構成を示す平面図である。
【図１０】複数の青色ＬＥＤおよび赤色ＬＥＤの配置状態を示す平面図である。
【図１１】制御部を中心とする構成を示すブロック図である
【図１２】電子機器がプリンターの場合の動作の一態様を示す処理フローである。
【図１３】タッチパネルを用いた場合の操作パネルの構成を示す側断面図である。
【発明を実施するための形態】
【００２４】
以下、本発明の一実施の形態に係る操作パネル１０およびこれを用いた電子機器について、図面を参照しながら説明する。
【００２５】
＜１．構成について＞
図１は、本発明の操作パネル１０の構成について示す側断面図である。この操作パネル１０は、光源２０と、スモーク調シート３０と、表示フィルム４０と、導光板５０と、静電容量センサー６０と、を有している。
【００２６】
光源２０は、電力の印加によって発光する部分である。本実施の形態では、光源２０としては、青色ＬＥＤ（Light Emitting Diode）２０Ａと、赤色ＬＥＤ２０Ｂとを用いている。青色ＬＥＤ２０Ａは青色の波長領域（４６０〜４８０ｎｍ）の光を出射し、赤色ＬＥＤ２０Ｂは赤色の波長領域（６２０〜６４０ｎｍ）の光を出射する。なお、上述の各光の波長には、多少の誤差が含まれ、また各光は概ね上記の波長のものとしても良い。
【００２７】
本実施の形態では、青色ＬＥＤ２０Ａと赤色ＬＥＤ２０Ｂとは、導光板５０を挟んで対向する位置に設けられている。すなわち、図１において、青色ＬＥＤ２０ＡはＸ方向において導光板５０よりもＸ１側（図１における右側）に設けられていて、赤色ＬＥＤ２０ＢはＸ方向において導光板５０よりもＸ２側（図１における左側）に設けられている。ただし、青色ＬＥＤ２０Ａと赤色ＬＥＤ２０Ｂの配置を図１とは逆にしても良い。また、青色ＬＥＤ２０Ａは導光板５０よりもＸ１側に１つ設けられていると共に、赤色ＬＥＤ２０Ｂは導光板５０よりもＸ２側に１つ設けられている。また、図２に示すように、青色ＬＥＤ２０Ａと赤色ＬＥＤ２０Ｂとは、導光板５０等を平面視したときの平面（ＸＹ平面）において、導光板５０のＹ方向における中央を通ると共にＸ方向に平行な中心線Ｌ上に位置するように配置されている。
【００２８】
なお、青色の波長領域の光は、請求項でいう第１の波長領域の光の一例に対応する。また、赤色の波長領域の光は、請求項でいう第２の波長領域の光の一例に対応する。ただし、青色の波長領域の光を、請求項でいう第２の波長領域の光の一例に対応するものとし、赤色の波長領域の光を、請求項でいう第１の波長領域の光の一例に対応するものとしても良い。また、青色ＬＥＤ２０Ａは、請求項でいう第１光源の一例に対応すると共に、赤色ＬＥＤ２０Ｂは、請求項でいう第２光源の一例に対応する。ただし、赤色ＬＥＤ２０Ｂを請求項でいう第１光源の一例に対応するものとし、青色ＬＥＤ２０Ａを請求項でいう第２光源の一例に対応するものとしても良い。また、青色の波長領域の光を出射可能な光源であれば、青色ＬＥＤ２０Ａ以外のものを用いても良く、赤色の波長領域の光を出射可能な光源であれば、赤色ＬＥＤ２０Ｂ以外のものを用いても良い。
【００２９】
スモーク調シート３０は、光源２０が発光していない状態（消灯の状態）において、表示フィルム４０側が見え難くするようにするための部材である。このスモーク調シート３０は、たとえば、操作パネル１０よりも筐体の内部側が暗く、操作パネル１０の外部が明るい場合に、暗くかつ光量の少ない筐体の内部側からの光を吸収するように設けられている。ただし、光源２０が発光すると、このスモーク調シート３０が吸収可能な光を超える状態となり、それによってスモーク調シート３０を透過する光量が多くなって、当該スモーク調シート３０よりも下層側（内部側）が視認可能となっている。
【００３０】
なお、スモーク調シート３０に代えて、たとえばハーフミラーのように、操作パネル１０よりも筐体の内部側が暗く、操作パネル１０の外部が明るい場合に、外部からの光を多く反射するようなビームスプリッターを設けるようにしても良い。
【００３１】
表示フィルム４０は、透明なフィルム（請求項でいう透明部材）から構成されている。図３および図４に示すように、この表示フィルム４０に、たとえばインクを用いた印刷によって、第１表示部４１と第２表示部４２とが形成されている。なお、第１表示部４１と第２表示部４２とは、共に光を透過可能に設けられている。
【００３２】
これらのうち、第１表示部４１は、青色のインクを用いて印刷された部分である。そのため、この第１表示部４１は、青色の波長領域の光を透過させることを可能としている。また、第２表示部４２は、赤色のインクを用いて印刷された部分である。そのため、この第２表示部４２は、赤色の波長領域の光を透過させることを可能としている。
【００３３】
また、図３および図４に示すように、透明なフィルム（表示フィルム４０）の表面には、第１表示部４１と第２表示部４２とが重なる重なり部分４３が設けられている。この重なり部分４３は、青色の波長領域の光および赤色の波長領域の光の双方を透過させることが可能となっている。そのため、この重なり部分４３は、たとえば印刷を行わずに無色透明に設けられている。なお、以下の説明においては、上述の定義から第１表示部４１には重なり部分４３が含まれ、第２表示部４２にも重なり部分４３が含まれるものとする。
【００３４】
導光板５０は、その内部を光が進行すると共に、光源２０から出射される光を表示フィルム４０側に向かうように反射させる部材である。この導光板５０は、請求項でいう導光部材の一例に対応する。この導光板５０は、たとえばアクリル樹脂等のような透明な樹脂を材質として形成されている。また、この導光板５０の裏面（下面；導光板５０のうち図１におけるＺ１側の面）には、光を反射させる反射溝５１が設けられている。反射溝５１は、導光板５０の裏面側に、たとえばＶ字状に窪みを設けることにより構成されている。なお、窪みに代えて突出部を設けることにより、反射溝５１を形成しても良い。
【００３５】
この反射溝５１には、青色ＬＥＤ２０Ａから出射される光を反射する第１反射面５１Ａと、赤色ＬＥＤ２０Ｂから出射される光を反射する第２反射面５１Ｂとが設けられている。第１反射面５１Ａは、Ｘ方向において、赤色ＬＥＤ２０Ｂ側に位置するものの方が、青色ＬＥＤ２０Ａに位置するものよりも、裏面と直交するＺ方向（直交方向）に近づくように設けられている。すなわち、図５に示すように、第１反射面５１ＡとＸ軸に平行な線Ｐとがなす角度αは、赤色ＬＥＤ２０Ｂに近い側の角度α２の方が、青色ＬＥＤ２０Ａに近い側の角度α１よりも大きく設けられている。なお、かかる角度αの変化は、Ｘ方向に沿って青色ＬＥＤ２０Ａから赤色ＬＥＤ２０Ｂ側に進行するにつれて、徐々に大きくなるようにしても良く、Ｘ方向におけるある範囲内の複数の第１反射面５１Ａにおける角度αは同じとなるようにしても良い。
【００３６】
また、第２反射面５１Ｂも、第１反射面５１Ａと同様に設けられている。すなわち、第２反射面５１Ｂは、Ｘ方向において、青色ＬＥＤ２０Ａ側に位置するものの方が、赤色ＬＥＤ２０Ｂに位置するものよりも、裏面と直交するＺ方向（直交方向）に近づくように設けられている。すなわち、図３に示すように、第２反射面５１ＢとＸ軸に平行な線Ｐとがなす角度βは、青色ＬＥＤ２０Ａに近い側の角度β２の方が、赤色ＬＥＤ２０Ｂに近い側の角度β１よりも大きく設けられている。なお、かかる角度βの変化においても、Ｘ方向に沿って赤色ＬＥＤ２０Ｂから青色ＬＥＤ２０Ａ側に進行するにつれて、徐々に大きくなるようにしても良く、Ｘ方向におけるある範囲内の複数の第２反射面５１Ｂにおける角度βは同じとなるようにしても良い。
【００３７】
また、導光板５０の上面（導光板５０のうちＺ２側の面）にも、反射溝５１を設けるようにしても良いが、設けないように構成しても良い。図１においては、上面にも反射溝５１が設けられた構成が図示されている。
【００３８】
また、図１のような光源２０の配置に対応する導光板５０に代えて、図６に示すような導光板５０を用いるようにしても良い。図６に示す導光板５０においては、導光板５０のＸ方向における両端部に凹部５３が設けられていて、この凹部５３に光源２０が位置するものとなっている。このとき、光源２０の上方側（Ｚ２側）および下方側（Ｚ１側）も、導光板５０によって覆われる構成となっている。また、図７に示すような導光板５０を用いるようにしても良い。図７に示す導光板５０では、導光板５０のＸ方向における両端部に窪み部５４が設けられていて、この窪み部５４に光源２０が位置するものとなっている。この窪み部は、上方側（Ｚ２側）および下方側（Ｚ１側）は、導光板５０によって覆われていない状態となっている。
【００３９】
また、図８に示すような導光板５０を用いるようにしても良い。図８に示す導光板５０では、矩形状の導光板５０の四隅を切り欠いた、八角形状に設けられている。
【００４０】
また、反射溝５１のＸＹ平面におけるピッチは、図２に示すものとしても良いが、図９に示すように、光源２０から離間するにつれて曲率が大きくなるような曲線状に設けるようにしても良い。この構成では、Ｘ方向における中央部分の反射溝５１の山線（または谷線）は、Ｙ方向の中心線Ｍと平行となる直線状か、またはその直線状に最も近い状態に設けられている。
【００４１】
その他にも、図１０に示すように、導光板５０のＸ１側に青色ＬＥＤ２０Ａおよび赤色ＬＥＤ２０Ｂを共に配置し、Ｘ２側にも青色ＬＥＤ２０Ａおよび赤色ＬＥＤ２０Ｂを共に配置する構成を採用しても良く、その場合には、反射溝５１のピッチは、導光板５０のうちＸ方向の両端側が大きく、Ｘ方向の中央側が狭く設けるようにしても良い。
【００４２】
静電容量センサー６０は、導光板５０よりも下方側に配置されている。この静電容量センサー６０は、押圧に伴う静電容量の変化によって、制御部７０に検出信号を出力するものであり、請求項でいう入力検出手段の一例に対応する。なお、図１に示す静電容量センサー６０は、当該静電容量センサー６０が押されたか否かを検出するものとなっている。
【００４３】
図１１は、電子機器がプリンター１００である場合の制御部７０を中心とする構成を概略的に示すブロック図である。なお、制御部７０は、請求項でいう制御手段の一例に対応する。図１１に示すように、本実施の形態における光源２０および静電容量センサー６０は、制御部７０に対して電気的に接続されている。この制御部７０は、不図示のＣＰＵ（Central Processing Unit）、ＲＯＭ（Read Only Memory）、ＲＡＭ（Random Access Memory）、不揮発性メモリー等のメモリー、バス、インターフェース等を有している。
【００４４】
そして、制御部７０には、ＲＯＭ、メモリーおよび／またはインターフェースを介して接続されている外部記憶装置に記憶されているプログラムを実行することにより、光源制御部７１が機能的に実現され、さらに機器制御部７２も機能的に実現される。光源制御部７１は、静電容量センサー６０から出力される検出信号に基づいて、光源２０の作動を制御する。また、機器制御部７２は、光源制御部７１と連動して、印刷機構１１０等の作動を制御する。なお、これらの光源制御部７１および機器制御部７２の動作については、後述する。
【００４５】
＜２．動作＞
以上のような構成の操作パネル１０およびこれを用いた電子機器の動作について、以下に説明する。なお、以下の説明としては、電子機器がプリンター１００である場合の一態様について説明する。
【００４６】
まず、基本的な動作について説明する。本実施の形態における操作パネル１０においては、青色ＬＥＤ２０Ａが点灯すると共に赤色ＬＥＤ２０Ｂが消灯している場合には、青色の波長領域の光が出射される状態となり、その青色の波長領域の光は第１表示部４１（重なり部分４３を含む）を通過するものの、第２表示部４２（重なり部分４３は除く）は通過せずに、当該第２表示部４２で吸収される。そのため、図３に実線で示されるような第１表示部４１を使用者は視認することが可能となる。
【００４７】
一方、赤色ＬＥＤ２０Ｂが点灯すると共に青色ＬＥＤ２０Ａが消灯している場合には、赤色の波長領域の光が出射される状態となり、その赤色の波長領域の光は第２表示部４２（重なり部分４３を含む）を通過するものの、第１表示部４１（重なり部分４３を除く）は通過せずに、当該第１表示部４１で吸収される。そのため、図４に実線で示す第２表示部４２を使用者は視認することが可能となる。
【００４８】
以上が、基本的な動作であるが、本実施の形態では、図１２に示す処理フローのような制御（動作）も行うことを可能としている。なお、以下の説明においては、電子機器がプリンター１００である場合の、動作の一態様を、図１２の処理フローに基づいて説明する。
【００４９】
まず、青色ＬＥＤ２０Ａおよび赤色ＬＥＤ２０Ｂが消灯している状態において、使用者の操作等によって、印刷条件が設定される（ステップＰ１）。すると、光源制御部７１は青色ＬＥＤ２０Ａを点灯させる（ステップＳ１）。それにより、青色の波長領域の光の透過により、スタートの表示に対応する第１表示部４１が使用者にとって十分に判別できるように明るくなり、視認可能な状態となる。
【００５０】
次に、使用者が操作パネル１０を押下する。すると、その押下によって静電容量センサー６０は光源制御部７１に検出信号を送信し、その検出信号に基づいて、光源制御部７１は、青色ＬＥＤ２０Ａは消灯させると共に、赤色ＬＥＤ２０Ｂを点灯させる（ステップＳ２）。すると、赤色の波長領域の光の透過により、ストップの表示に対応する第２表示部４２が使用者にとって十分に判別できるように明るくなり、視認可能な状態となる。
【００５１】
また、この光源制御部７１の制御と共に、機器制御部７２は、上述の「スタート」に対応する第１表示部４１が表示されている操作パネル１０の押下に伴い、プリンター１００の印刷機構１１０を制御して、印刷媒体への印刷を開始させる（ステップＰ２）。
【００５２】
この状態において、使用者が操作パネル１０を押下する場合、その押下に伴って、光源制御部７１は赤色ＬＥＤ２０Ｂを消灯させる（ステップＳ３）。このとき、使用者が「ストップ」に対応する第２表示部４２が表示されている操作パネル１０を押下した状態に対応する。そのため、機器制御部７２は印刷を中断させる（ステップＰ３）。
【００５３】
そして、この印刷の中断において、使用者が設定変更を完了すると（ステップＰ４）、光源制御部７１は、光源制御部７１は青色ＬＥＤ２０Ａを点灯させる（ステップＳ４）。それにより、青色の波長領域の光の透過により、スタートの表示に対応する第１表示部４１が使用者にとって十分に判別できるように明るくなり、視認可能な状態となる。
【００５４】
この状態で、使用者が操作パネル１０を押下すると、その押下によって静電容量センサー６０は光源制御部７１に検出信号を送信し、その検出信号に基づいて、光源制御部７１は、青色ＬＥＤ２０Ａは消灯させると共に、赤色ＬＥＤ２０Ｂを点灯させる（ステップＳ５）。それにより、赤色の波長領域の光の透過により、ストップの表示に対応する第２表示部４２が使用者にとって十分に判別できるように明るくなり、視認可能な状態となる。
【００５５】
また、機器制御部７２は、上述の「スタート」に対応する第１表示部４１が表示されている操作パネル１０の押下に伴って、プリンター１００の印刷機構１１０を制御して、印刷媒体への印刷を再開させる（ステップＰ５）。
【００５６】
そして、上述の印刷再開後、使用者が「ストップ」に対応する第２表示部４２が表示されている操作パネル１０を押下しない場合には、印刷が終了する。
【００５７】
＜３．効果＞
以上のような構成の操作パネル１０およびこれを用いた電子機器によると、第１表示部４１と第２表示部４２とが、同じ表示フィルム４０に設けられている。このため、第１表示部４１と第２表示部４２とが重ならない構成となるため、操作パネル１０の全体の厚みを薄くすることが可能となる。
【００５８】
また、上述の図１２における処理フローにて説明したように、使用者が表示フィルム４０の上側（Ｚ２側）を押し込むと、その押し込みにより、静電容量センサー６０は検出信号を制御部７０（光源制御部７１）に送信し、制御部７０（光源制御部７１）は、青色の波長領域の光および赤色の波長領域の光のうち既に点灯している一方側の光の出射を停止して、その一方側の光とは異なる他方側の光を出射させるように光源２０を制御する。また、この押し込みに対応して、操作パネル１０が組み込まれる電子機器において実行される異なる機能に関しての表示がなされる。それにより、電子機器が実行する機能と操作パネル１０での表示の切り替えとを連動させることが可能となる。
【００５９】
また、操作パネル１０を押し込んだ使用者にとっては、次に操作パネル１０を押し込んだ場合には、電子機器において異なる機能が実行されることを認識可能となり、使用者の利便性を向上させることが可能となる。
【００６０】
また、表示フィルム４０の重なり部分４３では、青色の波長領域の光および赤色の波長領域の光を透過可能となっている。このため、第１表示部４１と第２表示部４２では、重なり部分４３によって表示が途切れてしまうのを防止可能となり、双方の表示を使用者は認識可能となる。それによって、限られた表示フィルム４０のスペースを有効活用することが可能となり、操作パネル１０の省スペース化に寄与可能となる。
【００６１】
さらに、光源２０には、青色ＬＥＤ２０Ａと赤色ＬＥＤ２０Ｂとが設けられていて、表示フィルム４０と青色ＬＥＤ２０Ａおよび赤色ＬＥＤ２０Ｂの間には、導光板５０が設けられていて、導光板５０のうち表示フィルム４０と対向する対向面とは反対側の裏面には、光を表示フィルム４０側に向けて反射させる複数の反射溝５１が設けられている。そのため、青色ＬＥＤ２０Ａと赤色ＬＥＤ２０Ｂからそれぞれ出射される光を表示フィルム４０に向かって導くことが可能となる。
【００６２】
また、本実施の形態では、反射溝５１の第１反射面５１Ａでは青色ＬＥＤ２０Ａから出射される青色の波長領域の光が表示フィルム４０側に向かって反射され、第２反射面５１Ｂでは赤色ＬＥＤ２０Ｂから出射される赤色の波長領域の光が表示フィルム４０側に向かって反射される。ここで、第１反射面５１Ａは、赤色ＬＥＤ２０Ｂ側に位置する第１反射面５１Ａの方が青色ＬＥＤ２０Ａに位置する第１反射面５１Ａよりも、裏面と直交する直交方向に近づくように設けられている。そのため、第１反射面５１Ａでは、青色ＬＥＤ２０Ａから離れても暗くなるのを防止する状態で、青色の波長領域の光を表示フィルム４０側に反射させることが可能となる。同じく、第２反射面５１Ｂは、青色ＬＥＤ２０Ａ側に位置する第２反射面５１Ｂの方が赤色ＬＥＤ２０Ｂに位置する第２反射面５１Ｂよりも、裏面と直交する直交方向に近づくように設けられている。そのため、第２反射面５１Ｂでは、赤色ＬＥＤ２０Ｂから離れても暗くなるのを防止する状態で、赤色の波長領域の光を表示フィルム４０側に反射させることが可能となる。
【００６３】
＜４．変形例＞
以上、本発明の一実施の形態について述べたが、本発明は、種々変形可能である。以下、それについて述べる。
【００６４】
（４−１）変形例その１
上述の実施の形態では、入力検出手段として静電容量センサー６０が用いられた場合について説明している。しかしながら、入力検出手段としては、図１３に示すような位置入力装置６１Ｂを用いるようにしても良い。この位置入力装置６１Ｂは、タッチパネル６１の構成要素であり、この位置入力装置６１Ｂの上方側（Ｚ２側）に、光源２０としての表示装置６１Ａが積層されている。
【００６５】
このような構成とする場合、表示装置６１Ａで使用者は、表示されたものを押し込む等による、直感的な操作が可能となる。また、操作パネル１０を用いた電子機器においては、押し込んだ位置に対応した制御を行うことが可能となる。それにより、押し込んだか否かの２値的な検出のみならず、押し込んだ位置に応じた検出信号の送信により、より多彩な制御を行わせることが可能となる。なお、タッチパネル６１は、静電容量方式でも良いが、静電容量方式以外に、抵抗膜方式や赤外線方式等のような他の方式のタッチパネル６１としても良い。
【００６６】
（４−２）変形例その２
上述の実施の形態においては、さらに、反射溝５１または導光板５０の裏面に対向する別部材には、表示フィルム４０に向けて光を反射させるための白色塗装部を設けるようにしても良い。白色塗装部を設ける場合、その白色塗装部の存在により、表示フィルム４０に向けて反射される光の反射率を高めることが可能となる。それにより、第１表示部４１における表示および第２表示部４２における表示を明るいものとすることが可能となる。
【００６７】
（４−３）変形例その３
上述の実施の形態においては、制御部７０（光源制御部７１）は、電子機器のいずれかの要素から出力される制御信号に基づいて、光源２０の発光強度を変化させるようにしても良い。発光強度を変化させる制御を行う場合、この発光強度の変化により、操作パネル１０における表示は、使用者にとって、より認識し易いものとすることが可能となる。たとえば、操作パネル１０を押し込まない時間が所定の閾値よりも長い等の場合には、明るさが低減させるように制御して、省電力化を図るようにしても良い。
【００６８】
（４−４）変形例その４
上述の実施の形態における制御部７０（光源制御部７１）は、上述した図１２の処理フローのみならず、光源２０の制御に関する各種の制御を実行可能であることは勿論である。たとえば、光源２０を点滅させる等の制御を行うようにしても良い。
【００６９】
（４−５）変形例その５
上述の実施の形態においては、表示フィルム４０は、青色の波長領域の光を透過する第１表示部４１と、赤色の波長領域の光を透過する第２表示部４２とを有する場合について説明している。しかしながら、これらに加えて、またはこれらの一部に代えて、その他の波長領域の光を透過する表示部を設けるようにしても良い。たとえば、緑色の波長領域の光を透過する表示部を設けたり、黄色の波長領域の光を透過する表示部を設けるようにしても良い。
【００７０】
（４−６）変形例その６
上述の実施の形態では、電子機器としては、特にプリンター１００について説明している。しかしながら、電子機器は、プリンター１００に限られるものではなく、電子機器としては、その他の種々の機器とすることが可能である。たとえば、電子機器としては、ファックス装置、電話装置、コピー装置、パーソナルコンピューター、携帯情報端末等がある。
【符号の説明】
【００７１】
１０…操作パネル、２０…光源、２０Ａ…青色ＬＥＤ、２０Ｂ…赤色ＬＥＤ、３０…スモーク調シート、４０…表示フィルム（透明部材の一例に対応）、４１…第１表示部、４２…第２表示部、４３…重なり部分、５０…導光板（導光部材の一例に対応）、５１…反射溝、５１Ａ…第１反射面、５１Ｂ…第２反射面、５３…凹部、５４…窪み部、６０…静電容量センサー（入力検出手段の一例に対応）、７０…制御部（制御部の一例に対応）、７１…光源制御部、７２…機器制御部、１００…プリンター、１１０…印刷機構
【図１】
2012198768.tif 000003
【図２】
2012198768.tif 000004
【図３】
2012198768.tif 000005
【図４】
2012198768.tif 000006
【図５】
2012198768.tif 000007
【図６】
2012198768.tif 000008
【図７】
2012198768.tif 000009
【図８】
2012198768.tif 000010
【図９】
2012198768.tif 000011
【図１０】
2012198768.tif 000012
【図１１】
2012198768.tif 000013
【図１２】
2012198768.tif 000014
【図１３】
2012198768.tif 000015